(57)【要約】【課題】ステッキの胴部を見た目にも手触り感でも温かさが感じられるほか、高級感や重厚感にも富み、持つ人の社会的地位の高揚を最大限に発揮できるファッション性にすぐれたステッキを提供する。【解決手段】本考案に係るステッキは、ステッキ本体２の胴部３の径及び長さを画定し、該画定した径及び長さに対応したトーションレース編地からなる筒状布４を設け、該筒状布４を前記胴部表面に被覆固定したことを特徴とし、トーションレース編地自身が保有する見た目や手触り感での温かさや高級感及び重厚感をそのまま胴部表面に醸成でき、しかも、トーションレース編地は、同じ柄や異なる柄が自在に形成できるから、ステッキを携帯しようとする者の年齢層や社会的地位などを予め想定することにより、それにふさわしい柄組織の選択が可能なように構成した。【選択図】図１
0003106694.tif 000002
【実用新案登録請求の範囲】
【請求項１】
ステッキ本体の胴部の径及び長さを画定し、該画定した径及び長さに対応したトーションレース編地からなる筒状布を設け、該筒状布を前記胴部表面に被覆固定したことを特徴とするステッキ。
【請求項２】
ステッキ本体の胴部の径及び長さを画定し、該画定した径及び長さより径大及び長尺になるように熱収縮性糸を用いてトーションレース編地からなる筒状布を設け、該筒状布を前記胴部に被包後、熱加工による収縮力で胴部表面に密着させたことを特徴とするステッキ。。
【考案の詳細な説明】
【技術分野】
【０００１】
本考案は、荷重を支えるという実用的な機能に加えてアクセサリーとしての役割を高度に発揮することのできるステッキに関するものである。
【背景技術】
【０００２】
一般に、ステッキ（杖）は、荷重を支え歩行補助の目的で使用されるものであるが、アクセサリーとしての役割も重要である。即ち、実用的なステッキも一面では社会的地位を示す役割を担っているからである。特に、ヨーロッパでは貴族や軍隊の指揮官が手にすることが多い。したがって、ステッキのファッション性は極めて重要であり、このファッション性を高める工夫として、特開２０００−１３５９００号が開示されていた。このものは、ステッキの柄部（握りとなる部分）に、袋状を呈する可撓性フィルムを被包して加熱により熱収縮により密着させていた。この場合、可撓性フィルムは透明又は半透明プラスチックからなり、その内面側に図柄を印刷若しくは転写していた。これは図柄を摩耗消滅させないようにするためである。
【０００３】
上記特開２０００−１３５９００号の如く、ステッキの柄部にのみ装飾を施し、ステッキの胴部（棒状に延びた部分）が無機質のままではファッション性を高めるためには充分でないことから、最近では、ステッキ本体の胴部をも含めて模様や図柄を施した可撓性フィルムにより被覆したものも市中に出回っている。
【特許文献１】特開２０００−１３５９００号
【考案の開示】
【考案が解決しようとする課題】
【０００４】
しかしながら、ステッキの柄部や胴部に模様や図柄を施した可撓性フィルムによる装飾では、模様や図柄による美麗さは高められても、見た目（外観上）や手触り感では冷たさが残るほか、高級感や重厚感に欠け、持つ人の社会的地位を高揚させる役割を担うステッキのファッション性には乏しいものであった。
【０００５】
本考案は、上記の点に鑑み創出したもので、その目的とするところは、ステッキの胴部を見た目にも手触り感でも温かさが感じられるほか、高級感や重厚感にも富み、持つ人の社会的地位の高揚を最大限に発揮できるファッション性にすぐれたステッキを提供することにある。
【課題を解決するための手段】
【０００６】
上記の目的を達成するため、本考案に係るステッキは、ステッキ本体の胴部の径及び長さを画定し、該画定した径及び長さに対応したトーションレース編地からなる筒状布を設け、該筒状布を前記胴部表面に被覆固定したことを特徴とし、トーションレース編地自身が保有する見た目や手触り感での温かさや高級感及び重厚感をそのまま胴部表面に醸成できるように構成した。
【０００７】
また、請求項２に記載の考案に係るステッキは、ステッキ本体の胴部の径及び長さを画定し、該画定した径及び長さより径大及び長尺になるように熱収縮性糸を用いてトーションレース編地からなる筒状布を設け、該筒状布を前記胴部に被包後、熱加工による収縮力で胴部表面に密着させたことを特徴とし、前記筒状布の熱収縮性による胴部表面への一体感（フィット感）が得られるように構成した。
【考案の効果】
【０００８】
本考案によれば、ステッキ本体の胴部表面がトーションレース編地からなる筒状布で完璧に被覆固定され、トーションレース編地自身が保有する処の、見た目や手触り感での温かさや高級感及び重厚感をそのままステッキに醸成できる。しかも、トーションレース編地は、同じ柄や異なる柄が自在に形成できるから、ステッキを携帯しようとする者の年齢層や社会的地位などを予め想定することにより、それにふさわしい柄組織の選択が可能な上に、繋ぎ目の無い完全な筒となるので、胴部表面をスッキリ覆い、かつファッション性を高め、これを持つ人の社会的地位の高揚に最大限に寄与できるなど各種の優れた効果を奏するものである。
【０００９】
また、請求項２に記載の考案によれば、トーションレース編地からなる筒状布が、該筒状布を構成する熱収縮性糸の熱収縮性により胴部表面に完全一体化する。したがって、胴部表面をよりスッキリ装飾するとともに、手触りもより向上するという優れた効果を奏するものである。
【考案を実施するための最良の形態】
【００１０】
次に、本考案の実施の最良の態様を図面に基いて説明する。図１は本願ステッキの一部を切欠した状態を示す斜視図、図２はステッキ本体とその胴部に被せる筒状布とを示す斜視図、図３は胴部表面に筒状布を被せてから収縮固定するまでの手順を示す斜視図、図４は胴部表面に筒状布を固定させた後の作業の手順を示す斜視図、図５は金属筒の胴部に筒状布を固定させる作業の手順を示す斜視図である。
【００１１】
１は本願ステッキで、該本願ステッキ１は、ステッキ本体２の胴部３の表面にその全長に亘ってトーションレース編地からなる筒状布４を被覆固定してなる。該トーションレース編地は、環状に配置したロータメタルによって隣接するボビンを交互に入れ替え、この入れ替え時にボビンから引き出された糸が互いに絡まって筒状布（非筒状布も可）として編成されたものである。この筒状布４は繋ぎ目の無い完全な筒となる。また、筒の直径や長さ、及び柄組織などは自在に設定できる。
【００１２】
前記ステッキ本体２の胴部３は、柄部５とともに木製であるもの、木製の柄部５を差し込んだ金属（アルミパイプやステンレスパイプ）製であるものその他がある。該胴部３の先端は、石突き部材（通常ではゴム製で、形態は図示のものに限らない）６により覆われている。また、柄部５の形態には湾曲状に曲げたもの、ゴルフクラブのグリップのような直線的なものもあるが、図示の場合はＴ型のものを示している。なお、符号７は、携行時に腕を通すための革などからなるストラップである。
【００１３】
前記筒状布４は、予め画定したステッキ本体２の胴部３の径及び長さより小径、短小に弾性糸を用いて編成し、ステッキ本体２の胴部３に伸長させて挿入すれば、弾性糸による収縮力で胴部表面にピッタリと密着させることが可能となる。また、筒状布４を、熱収縮性糸を用いてステッキ本体２の胴部３の径及び長さより径大、長尺に編成し、胴部３に被包後、熱加工による収縮力で胴部表面にピッタリと密着させることが可能となる。この筒状布４は弾性糸を用いて編成するか、熱収縮性糸を用いて編成するかは自由に選択できるが、本実施例では、熱収縮性糸を用い、予め画定したステッキ本体２の胴部３の径及び長さより径大及び長尺に編成し、熱収縮により密着させている。ステッキ本体２の胴部３への被包性などの作業性の点で優れるためである。
【００１４】
前記筒状布４は、トーションレース編地からなるため、同じ柄や異なる柄が自在に形成できる。図面は芯糸に対して柄糸（点線で示している）を右上がり及び左上がりに斜状に交差するように走らせた柄組織を示しているが、概して、外観上（見た目）の温かさがあり、手編みのような高級感や重厚感を具有する。したがって、該筒状布４をステッキ本体２の胴部３の表面にその全長に亘って被覆固定したときは、本願ステッキ１自身に温かさや高級感及び重厚感を醸成させることとなる。勿論、トーションレース編地は、ステッキを携帯しようとする者の年齢層や社会的地位などを予め想定することにより、それにふさわしい柄組織の選択が可能な上、季節に合わせた柄組織にすることも可能であるから、適時、着せかえ的あるいは交換的に使用できるように構成してもよい。
【００１５】
前記筒状布４をステッキ本体２の胴部表面へ固定するには、弾性糸による収縮力、あるいは熱加工による収縮力を利用して満足できるが、胴部３の全域に予め接着剤を塗布し、これに筒状布４を被包させて熱収縮させるようにしてもよいし、胴部３の局部に接着剤を塗布したり、両面粘着テープを巻いて筒状布４を固定するようにしてもよい。上述の如く季節に合わせて筒状布４を着せかえ的あるいは交換的に使用する場合には、単に、熱加工による収縮力を利用して固定することが好都合である。
【００１６】
次に、本願ステッキ（ステッキ本体が木製の場合）の制作手順を、図２から図４に基づいて説明する。まず、図２の如く、ステッキ本体２を用意（既成のものである否とを問わない）するとともに、該ステッキ本体２の胴部３の径及び長さを画定し、その画定した径及び長さに対応したトーションレース編地からなる筒状布４を用意することとなる。筒状布は切断部（切断してホツレがない個所）を介して連続して編成するためである。
【００１７】
次いで、ステッキ本体２の胴部３の首部と先端部とに、図２（ａ）の如く、浅く削り取った小径部２ａ、２ｂを作る一方、前述の如く用意された筒状布４の切断時に上縁側に、同（ｂ）の如く、延びる糸端４ａを熱処理（焼く）した後、筒状布４の上縁を、同（ｃ）の如く、折り返して口端部４ｂを整えるようにする。なお、筒状布４の切断時の下端縁に延びる糸端４ａ′は特に処理を要しない。
【００１８】
上述の如く、口端部４ｂを整えた筒状布４は、図３（ａ）の如く、ステッキ本体２の胴部３に被包させる。次いで、同（ｂ）の如く、整えられた口端部４ｂを、ステッキ本体２の胴部３の首部に形成しておいた小径部２ａに合わせ、その外側を伸縮テープで固定してから熱収縮性の可撓性フィルム８で覆う一方、ステッキ本体２の胴部３の先端部を包み込んでいる筒状布４の筒先を袋状に縫着９する。しかる後に、同（ｃ）の如く、ステッキ本体２を矢印Ａの如く回しつつスチーム発生機（たとえば、スチームアイロン）１０を矢印Ｂ−Ｂ′の如く移動させて筒状布４の表面を熱処理することによって熱収縮させ密着させる。
【００１９】
前記筒状布４を熱収縮させた後、図４（ａ）の如く、筒状布４の首部と先端部に両面粘着テープ１１を巻き、該両面粘着テープ１１を介して、図４（ｂ）の如く、ストラップ７の環部７′及び石突き部材６をそれぞれ嵌合固着する。しかる後、防水剤スプレー缶１２を矢印Ｃ−Ｃ′の如く移動させて筒状布４の表面を防水処理する。これにより本願ステッキ１が完成することとなる。
【００２０】
なお、図５（ａ）は、ステッキ本体２の胴部３が金属筒の場合において、柄部５と石突き部材６を取り外した状態の胴部３を示している。同（ｂ）は、その胴部３の表面に筒状布４を被覆固定させた状態を示している。この筒状布４の被覆固定は上述した処と同じである。しかる後、柄部５及び石突き部材６を再取付けることにより本願ステッキ１が完成することとなる。
【産業上の利用可能性】
【００２１】
本願ステッキは、ステッキ本体の胴部表面がトーションレース編地からなる筒状布で被覆固定したもので、見た目は勿論、手触り感による温かさや高級感及び重厚感が醸成されるため、歩行補助の目的に加え、アクセサリーとしての役割を高度に発揮させるからその利用可能性は高いものである。
【図面の簡単な説明】
【００２２】
【図１】本願ステッキの一部を切欠した状態を示す斜視図である。
【図２】ステッキ本体とその胴部に被せる筒状布とを示す斜視図である。
【図３】胴部表面に筒状布を被覆し収縮固定するまでの手順を示す斜視図である。
【図４】胴部表面に筒状布を固定させた後の作業の手順を示す斜視図である。
【図５】金属筒の胴部に筒状布を固定させる作業の手順を示す斜視図である。
【符号の説明】
【００２３】
１  本願ステッキ
２  ステッキ本体
２ａ、２ｂ  小径部
３  胴部
４  筒状布
４ａ、４ａ′  糸端
４ｂ  口端部
５  柄部
６  石突き部材
７  ストラップ
８  可撓性フィルム
９  縫着
１０  スチーム発生機
１１  両面粘着テープ
１２  防水剤スプレー缶
【図１】
0003106694.tif 000003
【図２】
0003106694.tif 000004
【図３】
0003106694.tif 000005
【図４】
0003106694.tif 000006
【図５】
0003106694.tif 000007